(57)【要約】【課題】  同じ設定での機能を何度も行う場合における操作性を向上させた操作指示受付装置を提供する。【解決手段】  第２表示制御部が表示部に基本設定画面を表示させる時に、頻度算出部が各キーの選択頻度を算出すると（Ｓ５）、設定部は、第２表示制御部による機能設定画面の表示時に、頻度算出部によって算出された選択頻度の最も高いキーに対応する機能が選択された状態として、画像形成時の動作を設定する（Ｓ６）。第２表示制御部は、この設定部によって設定された機能を示すキーの色を変更する（Ｓ７）。このキー色の変更処理後、第２表示制御部は、変更されたキー色で機能設定画面を表示部に表示させる（Ｓ８）。【選択図】      図４
2005242922.tif 000002
【特許請求の範囲】
【請求項１】
各機能に対応する複数のキーを表示する表示手段を備え、この表示手段に表示される複数のキーからユーザにより任意のキーが選択されると、当該ユーザにより選択された任意のキーに対応する機能を実行させる指示を受け付ける操作指示受付装置であって、
前記各機能の基本設定項目に対応する複数のキーが表示される第１階層画面を前記表示手段に表示させる第１表示制御手段と、
前記第１階層画面において、ユーザにより任意のキーが選択されたときに、この選択されたキーに対応付けられている複数のキーが更に表示される第２階層画面を前記表示手段に表示させる第２表示制御手段と、
前記第２階層画面における各キーの選択頻度を算出する頻度算出手段と、
前記第２表示制御手段による第２階層画面の表示時に、前記頻度算出手段により算出された選択頻度の最も高いキーに対応する機能が選択された状態に設定する設定手段と
を備えた操作指示受付装置。
【請求項２】
前記第２表示制御手段は、前記設定手段により設定された機能を示すキーの色を他のキーの色とは変えた状態として、前記第２階層画面を前記表示手段に表示させる請求項１に記載の操作指示受付装置。
【請求項３】
前記第２表示制御手段は、前記頻度算出手段により算出された選択頻度に応じて、前記複数のキーの配置を変更した状態として、前記第２階層画面を前記表示手段に表示させる請求項２に記載の操作指示受付装置。
【発明の詳細な説明】
【技術分野】
【０００１】
本発明は、例えば、複写機、ファクシミリ装置、プリンタ等の画像形成装置に備えられる操作指示受付装置に関する。
【背景技術】
【０００２】
従来、複写機、ファクシミリ装置、プリンタ等の画像形成装置には、画像形成処理の機能に対応する複数のキーを表示する表示パネルを有する操作指示受付装置が備えられている。このような操作指示受付装置は、例えば、特許文献１に示すように、表示パネルに表示される複数のキーからユーザにより任意のキーが選択されると、当該ユーザにより選択された任意のキーに対応する機能による画像形成処理を実行させる指示を受け付けるようになっている。
【０００３】
この操作指示受付装置では、表示パネルの表示画面に、同時に複数のキーが表示されるため、ユーザは所望の操作に対応するキーを選択しやすいが、画像形成処理時に多項目の設定を可能とするために、表示パネルに表示される機能設定画面を、複数の階層に分けて表示する。例えば、画像形成装置の電源オン時には、図３に示すような、印刷用紙サイズ、濃度設定、印刷倍率、ソート処理等の画像形成時における基本的な設定を行うための基本設定画面が表示される。この基本設定画面で拡大／縮小キーＫ１が選択されると、図９に示すような、拡大／縮小設定画面（機能設定画面の一例）が表示される、というように、次々に詳細な機能を設定できる画面に切り替わる。
【特許文献１】特開２００２−３５４１７０号公報
【発明の開示】
【発明が解決しようとする課題】
【０００４】
しかしながら、上記の操作指示受付装置では、ユーザが、例えば、拡大／縮小設定で、A4原稿からA3印刷用紙に拡大印刷する設定を多用するというように、同じ設定での画像形成を何度も行う場合であっても、ユーザは、画像形成の度に、上記拡大／縮小設定画面で、A4原稿からA3印刷用紙に拡大印刷する設定する操作を行わなければならない。すなわち、ユーザは、頻繁に使用する設定であっても、その設定がデフォルトで初期設定されていなければ、画像形成の度に設定作業を行う必要がある。そのため、同じ設定での画像形成を複数回行う場合における操作性の向上が望まれる。
【０００５】
本発明は、上記の問題を解決するためになされたもので、同じ設定での機能を複数回実行する場合における操作性を向上させた操作指示受付装置を提供することを目的とするものである。
【課題を解決するための手段】
【０００６】
本発明の請求項１に記載の発明は、各機能に対応する複数のキーを表示する表示手段を備え、この表示手段に表示される複数のキーからユーザにより任意のキーが選択されると、当該ユーザにより選択された任意のキーに対応する機能を実行させる指示を受け付ける操作指示受付装置であって、
前記各機能の基本設定項目に対応する複数のキーが表示される第１階層画面を前記表示手段に表示させる第１表示制御手段と、
前記第１階層画面において、ユーザにより任意のキーが選択されたときに、この選択されたキーに対応付けられている複数のキーが更に表示される第２階層画面を前記表示手段に表示させる第２表示制御手段と、
前記第２階層画面における各キーの選択頻度を算出する頻度算出手段と、
前記第２表示制御手段による第２階層画面の表示時に、前記頻度算出手段により算出された選択頻度の最も高いキーに対応する機能が選択された状態に設定する設定手段と
を備えたものである。
【０００７】
この構成では、第２表示制御手段が前記表示手段に第２階層画面を表示させる時に、設定手段が、頻度算出手段により算出された選択頻度の最も高いキーに対応する機能が選択された状態に設定するので、ユーザが、何度も同じ設定での機能を実行する場合に、第２階層画面でのキー操作が不要になる可能性が高くなり、機能実行時の設定手順を減らすことが可能になる。
【０００８】
また、請求項２に記載の発明は、請求項１に記載の操作指示受付装置であって、前記第２表示制御手段は、前記設定手段により設定された機能を示すキーの色を他のキーの色とは変えた状態として、前記第２階層画面を前記表示手段に表示させるものである。
【０００９】
この構成では、設定手段により設定された機能を示すキーの色を、他のキーの色とは変えた状態として第２階層画面が表示されるので、ユーザは、第２階層画面の表示時に、設定手段によって選択されている機能を容易に見分けることができる。
【００１０】
また、請求項３に記載の発明は、請求項２に記載の操作指示受付装置であって、前記第２表示制御手段は、前記頻度算出手段により算出された選択頻度に応じて、前記複数のキーの配置を変更した状態として、前記第２階層画面を前記表示手段に表示させるものである。
【００１１】
この構成では、頻度算出手段によって算出された選択頻度に応じて、第２階層画面に表示される複数のキーの配置が変更されるので、ユーザは、第２階層画面において、設定手段によって設定されている選択頻度の最も高いキーを更に容易に見分けることができると共に、それ以外の選択頻度の高いキーも容易に認識することが可能になり、選択頻度の高い複数のキーを選択する際の操作性が向上する。
【発明の効果】
【００１２】
請求項１に記載の発明によれば、第２階層画面の表示時に、選択頻度の最も高いキーに対応する機能が選択された状態とされるので、ユーザが、何度も同じ設定で機能を実行する場合に、第２階層画面でのキー操作が不要になる可能性が高くなり、機能実行時の設定手順を減らすことが可能になる。
【００１３】
請求項２に記載の発明によれば、設定手段により設定された機能を示すキーの色を、他のキーの色とは変えた状態として第２階層画面が表示されるので、ユーザは、第２階層画面の表示時に、設定手段によって選択されている機能を容易に見分けることができる。
【００１４】
請求項３に記載の発明によれば、第２階層画面に表示される複数のキーの配置が選択頻度に応じて変更されるので、ユーザは、第２階層画面において、設定手段によって設定されている選択頻度の最も高いキーを更に容易に見分けることができると共に、それ以外の選択頻度の高いキーも容易に認識することが可能になり、選択頻度の高い複数のキーを選択する際の操作性が向上する。
【発明を実施するための最良の形態】
【００１５】
以下、本発明の実施形態に係る操作指示受付装置を備えた複合機について図面を参照しながら説明する。図１は複合機１の内部構成を概略的に示す側面図である。複合機１は、装置本体２と、装置本体２の左方に配設されたスタックトレイ３と、装置本体２の上部に配設された原稿読取部５と、原稿読取部５の上方に配設された原稿給送部６とを有している。
【００１６】
複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部（表示手段）４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００１７】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００１８】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００１９】
また、原稿給送部６は、その前面側が上方に移動可能となるように装置本体２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２０】
装置本体２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成して記録する記録部４０とを備える。
【００２１】
記録部４０は、スキャナ部５１で取得された画像データに基づきレーザ光等を記録して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２２】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２３】
図２は複合機１の概略構成を示す機能ブロック図、図３は基本設定画面の表示例を示す図である。複合機１には、装置全体の動作制御を司る制御部（制御手段）１００が備えられている。この制御部１００には、露光ランプ５１１及びＣＣＤ５１２等からなる原稿画像の読み取りが可能なスキャナ部５１と、用紙搬送部１３１，画像形成部１３２，転写部４１及び定着部４５等からなる記録部４０とが接続されている。また、制御部１００には、スキャナ部５１で読み取られた文書データ等が一時的に保存される画像メモリ１４０と、大量の文書データを保存可能な記憶容量を有する大容量のＨＤＤ（記憶装置）１５０とが接続されている。
【００２４】
画像処理部１６０は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ１４０に書き込まれる。制御部１００は、画像メモリ１４０に書き込まれた当該圧縮画像を、文書管理の対象となるデータとしてＨＤＤ１５０に格納することが可能である。また、登録文書のプリントアウト時には、例えば、ＨＤＤ１５０又はネットワーク上の各コンピュータから、プリントアウト対象となるデータが画像メモリ１４０に書き出され、画像処理部１６０は、当該圧縮されたデータを伸張処理し、出力状態に応じた画像処理を施す。例えばレーザ露光の場合には、レーザ信号にアナログ変調する。このアナログ変調された信号に基づいて記録部４０でプリントアウトが行われる。
【００２５】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００２６】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００２７】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて1ビットずつ順次データを送るシリアル伝送で外部機器と接続するシリアルＩ／Ｆ部１８２とが接続されている。
【００２８】
ネットワークコントローラ１０５は、本複合機１とＬＡＮ接続されたコンピュータ等との間で行われるデータ送受信を制御するものである。ネットワークコントローラ１０５は、ネットワークＩ／Ｆ部２１０を介して外部とデータを送受信させる。
【００２９】
操作部４７は、複合機１の操作に必要な各種の指示が操作者（ユーザ）から入力されるものである。操作部４７は、ＬＣＤ（liquid crystal display）等からなり、複合機１の操作に必要な各種操作メッセージ等が表示される表示部４７３と、プリントアウト実行指示や文書のプリントアウト部数等が入力されるテンキー等からなる操作キー部４７０とを有している。なお、表示部４７３は、タッチパネル機能を備え、操作者が当該タッチパネルに接触することによって、表示されている各キーに対応付けられている機能を実行する指示を入力できる構成を有することが好ましい。
【００３０】
また、制御部１００は、第１表示制御部（第１表示制御手段）１０６と、第２表示制御部１０７（第２表示制御手段）と、頻度算出部（頻度算出手段）１０８と、設定部（設定手段）１０９とを備える。
【００３１】
第１表示制御部１０６は、印刷用紙サイズ、濃度設定、印刷倍率、ソート処理等の画像形成時における基本的な項目の設定を行うための基本設定画面（第１階層画面）を表示部４７３に表示させる制御を行う。この基本設定画面には、図３に示すように、画像形成処理の機能の上記基本設定項目に対応する複数のキーが表示される。第１表示制御部１０６は、印刷用紙サイズ、濃度設定、印刷倍率及びソート処理の設定に対応するキーを表示する。例えば、デフォルトとして、印刷用紙サイズは「自動用紙」、濃度設定は「標準」、印刷倍率は「100％」、ソート処理は「ソートしない」に初期値が設定されている場合、これらの機能に対応する各キーを、文字部分を白抜きした色付表示で、表示部４７３に表示させるようになっている。
【００３２】
第２表示制御部１０７は、上記基本設定画面において、ユーザにより任意のキーが選択されたときに、この選択されたキーに対応付けられている複数のキーが更に表示される機能設定画面（第２階層画面）を表示部４７３に表示させる制御を行う。この機能設定画面について、例えば、基本設定画面において印刷倍率の項目の「拡大／縮小」キーＫ１が選択された場合について説明すると、図３の「拡大／縮小」キーＫ１に対応付けられているキー群（図８に示すような、具体的な拡大／縮小率を設定するための複数キー「100％」キーＫ１１、「A4→A3」キーＫ１２、「A3→B4」キーＫ１３等）が表示されるようになっている。第２表示制御部１０７は、この機能設定画面で、設定部１０９によって設定されている機能を示すキーの表示形態を、他のキーの表示形態とは変化させた状態として表示部４７３に表示させる、又は、頻度算出部１０８によって算出された選択頻度に応じて機能設定画面の複数キーの表示位置を変更させて表示部４７３に表示させる等の制御を行う。
【００３３】
頻度算出部１０８は、上記機能設定画面に表示される複数のキーについて、各キーの選択頻度を算出する。例えば、頻度算出部１０８は、各キーの選択回数をカウントするカウンタ等を備え、機能設定画面でキー操作がされた過去の所定回数（例えば、３０回等）において、各キーそれぞれの選択回数を検出し、これら所定回数と各キー選択回数とから、各キーの使用頻度を算出する。なお、上記所定回数は適宜変更が可能である。
【００３４】
設定部１０９は、第２表示制御部１０７による機能設定画面の表示時に、頻度算出部１０８によって算出された選択頻度の最も高いキーに対応する機能が選択された状態として、複合機１の画像形成時の動作を設定するものである。
【００３５】
次に、複合機１における画像形成機能設定時の制御の第１実施形態について説明する。図４は複合機１における画像形成機能設定時の制御の第１実施形態を示すフローチャート、図５はキー選択頻度に応じて表示制御を行った機能設定画面の表示例を示す図、図６は基本設定画面の第２の表示例を示す図である。これら図４乃至図６と、上記図３を用いて、以下説明する。
【００３６】
制御部１００が、複合機１の電源がオンになったと判断すると（Ｓ１でＹＥＳ）、第１表示制御部１０６が表示部４７３に基本設定画面（図３）を表示させる（Ｓ２）。この基本画面表示時に、ユーザによりスタートキー４７１（図１）が押下されると（Ｓ３でＹＥＳ）、制御部１００は、デフォルトで設定されている画像形成機能（例えば、印刷用紙サイズは「自動給紙」、濃度設定は「標準」、印刷倍率は「100％」、ソート処理は「ソートしない」等）で記録部４０等に画像形成を実行させる（Ｓ１３）。
【００３７】
また、スタートキー４７１が押下されず（Ｓ３でＮＯ）、基本設定画面において、表示部４７３に表示された各キーにユーザが触れて、タッチパネル機能等によりいずれかのキーの選択が受け付けられた場合は（Ｓ４でＹＥＳ）、頻度算出部１０８が、当該キーが選択された場合に表示させるように対応付けられている機能設定画面（図５）に表示する複数のキーについて、過去の所定回数における各キーのそれぞれの選択頻度を算出する（Ｓ５）。
【００３８】
頻度算出部１０８が各キーの選択頻度を算出すると、設定部１０９は、第２表示制御部１０７による機能設定画面の表示時に、頻度算出部１０８によって算出された選択頻度の最も高いキーに対応する機能が選択された状態として、複合機１の画像形成時の動作を設定する（Ｓ６）。第２表示制御部１０７は、この設定部１０９によって設定された機能を示すキーの色を、他のキーとは異なる色に変更する（Ｓ７）。このキー色の変更処理後、第２表示制御部１０７は、変更されたキー色で機能設定画面を表示部４７３に表示させる（Ｓ８）。例えば、基本設定画面で「縮小／拡大」キーＫ１が選択され、拡大／縮小機能の設定画面が機能設定画面として表示部４７３に表示する場合に、選択頻度の最も高いキーが「A4→A3」キーＫ１２であったとすると、設定部１０９は、A4サイズの原稿上の画像をA3サイズの印刷用紙に拡大して印刷する設定とし、第２表示制御部１０７は、図５に示すように、この設定部１０９によって設定された機能を示す「A4→A3」キーＫ１２を、例えば、文字部分を白抜きした色付表示として表示部４７３に表示させる。
【００３９】
上記機能設定画面の表示部４７３への表示後、ユーザによるいずれかのキーの選択が受け付けられた場合は（Ｓ９でＹＥＳ）、制御部１００は、選択されたキーに対応する機能に当該画像形成動作の機能を変更する（Ｓ１０）。この後、機能設定画面の「決定」キーＫ１７が押下されると（Ｓ１１でＹＥＳ）、頻度算出部１０８は、Ｓ９でキー選択がされている場合は、当該選択されたキーの選択回数をカウントアップする。Ｓ９でキーが選択されず（Ｓ９でＮＯ）、設定部１０９が設定した設定のままで「決定」キーＫ１７が押下された場合は、設定部１０９が設定した機能を示すキーが選択されたものとみなし、このキーの選択回数をカウントアップする（Ｓ１２）。このようにして、頻度算出部１０８は、次の頻度検出のためにデータを蓄積しておく。
【００４０】
この後は、第１表示制御部１０６が、再び基本設定画面を表示部４７３に表示させるが（Ｓ２）、第１表示制御部１０６は、基本設定画面を、上記Ｓ４におけるキー選択で設定された画像形成機能を反映させた表示形態で表示させる。例えば、図６に示すように、機能設定画面で「A4→A3」キーＫ１２が設定された場合は、印刷倍率表示部分４７３１の「自動倍率」キーＫ１５を、文字部分を白抜きした色付表示として表示させ、倍率値表示部４７３２に表示させる数値を、A4用紙上画像をA3用紙に拡大して印刷する場合の倍率値「141％」として表示させる。
【００４１】
次に、複合機１による表示部４７３の表示制御の第２実施形態について説明する。図７は複合機１による表示部４７３の表示制御の第２実施形態を示すフローチャート、図８は機能設定画面の第２の表示例を示す図である。なお、上記図４と同様の処理については、同符号を付して説明を省略する。
【００４２】
上記第１実施形態では、頻度算出部１０８が算出した選択頻度の最も高いキーの色を、他のキーとは色を変えて、第２表示制御部１０７が機能設定画面を表示部４７３に表示するようにしているが、第２実施形態では、さらに、第２表示制御部１０７が、各キーの選択頻度に応じて各キーの表示位置を変えて機能設定画面を表示する。
【００４３】
すなわち、頻度算出部１０８が各キーの選択頻度を算出すると（Ｓ５）、第２表示制御部１０７は、図４に示した第１実施形態のＳ６及びＳ７の処理（選択頻度の最も高いキーに対応する機能に設定、及びこの機能を示すキーの表示色を他のキーの表示色と変えて表示）と共に、頻度算出部１０８によって算出された各キーの選択頻度に基づいて、選択頻度に応じて予め定められている表示位置に各キーを配置して表示させる（Ｓ２１，Ｓ８）。例えば、選択頻度が、「A4→A3」キーＫ１２、「100％」キーＫ１１、「A4→B5」キーＫ１４、「B5→A4」キーＫ１５、「A3→A4」キーＫ１３…の順に高い場合、図８に示すように、最上段の左側から右側に向けて選択頻度の高いキーを４つ順番に並べて表示し、その次に選択頻度の高いキーを中段の左側から右側に向けて４つ順番に並べて表示し、最下段も同様にして各キーを表示する。これにより、設定部１０９によって設定されている機能を示すキーであって、選択頻度の最も高いキーが、他のキーの色とは色を変えて表示されると共に、最上段の左側に表示される等の効果が得られ、ユーザは、このキーを容易に認識できる。この頻度算出部１０８による各キーの選択頻度に基づいた各キーの表示位置設定は、上記図８を用いて説明した例に限られず、適宜変更が可能である。
【００４４】
なお、本発明は上記実施の形態の構成に限られず種々の変形が可能である。例えば、上記実施形態では、複合機１及び操作指示受付装置の構成及び処理を図１乃至図８に示しているが、これらの構成及び処理はあくまでも一例であり、本発明に係る操作指示受付装置及び複合機１の構成及び処理は上記に限定されるものではない。
【図面の簡単な説明】
【００４５】
【図１】本発明の一実施形態に係る操作指示受付装置を備えた複合機の内部構成を概略的に示す側面図である。
【図２】図１の複合機の概略構成を示す機能ブロック図である。
【図３】基本設定画面の表示例を示す図である。
【図４】複合機における画像形成機能設定時の制御の第１実施形態を示すフローチャートである。
【図５】キー選択頻度に応じて表示制御を行った機能設定画面の表示例を示す図である。
【図６】基本設定画面の第２の表示例を示す図である。
【図７】複合機による表示部の表示制御の第２実施形態を示すフローチャートである。
【図８】機能設定画面の第２の表示例を示す図である。
【図９】機能設定画面の表示例を示す図である。
【符号の説明】
【００４６】
１      複合機
１００  制御部
１０６  第１表示制御部
１０７  第２表示制御部
１０８  頻度算出部
１０９  設定部
４７３  表示部
【図１】
2005242922.tif 000003
【図２】
2005242922.tif 000004
【図３】
2005242922.tif 000005
【図４】
2005242922.tif 000006
【図５】
2005242922.tif 000007
【図６】
2005242922.tif 000008
【図７】
2005242922.tif 000009
【図８】
2005242922.tif 000010
【図９】
2005242922.tif 000011